(57)【要約】      （修正有）【課題】高さを低くしつつ、基板ユニット挿抜時に基板ユニット識別を容易にするサブラックを提供する。【解決手段】複数枚のプリント基板が前面開口側から挿入され、該プリント基板を配列収納するサブラック本体、上記プリント基板が取り付けられ、上記サブラック本体の前面開口部に端部がねじ止めされるフロントパネル２１、このフロントパネル端部に設けられ、上記ねじ止め用のねじ３５が貫通するねじ孔、上記サブラック本体前面開口部の天面側に設けられ、上記ねじを取り付ける取り付け部が上記天面の前面に沿って複数配列された取り付け板を備え、該取り付け板の取り付け部近傍には上記プリント基板２１を識別する識別情報３７が付されており、識別情報３７が付された位置に対応する上記フロントパネル端部の領域には切り欠き２７を設け、識別情報３７を視認可能とした。【選択図】図９
2005217124.tif 000002
【特許請求の範囲】
【請求項１】
複数枚のプリント基板が前面開口側から挿入され、該プリント基板を配列収納するサブラック本体、
上記プリント基板が取り付けられ、上記サブラック本体の前面開口部に端部がねじ止めされるフロントパネル、
このフロントパネル端部に設けられ、上記ねじ止め用のねじが貫通するねじ用孔、
上記サブラック本体前面開口部の天面側又は底面側に設けられ、上記ねじを取り付ける取り付け部が上記天面又は底面の前面に沿って複数配列された取り付け板を備え、
該取り付け板の上記取り付け部近傍には上記プリント基板を識別する識別情報が付されており、該識別情報が付された位置に対応する上記フロントパネル端部の領域は切り欠かれて上記識別情報が視認可能に構成されていることを特徴とする基板ユニット用サブラック。
【請求項２】
フロントパネルとサブラック本体の高さ寸法が略同一のＩＥＣ６０２９７規格、ＩＥＣ６０９１７規格又はＩＥＥＥ１１０１規格に準拠した基板ユニット用サブラックであって、
複数枚のプリント基板が前面開口部から挿入され、該プリント基板を配列収納するサブラック本体、
上記プリント基板が取り付けられ、上記サブラック本体の前面開口部に端部がねじ止めされるフロントパネル、
このフロントパネル端部に設けられ、上記ねじ止め用のねじが貫通するねじ用孔、
上記サブラック本体前面開口部の天面側又は底面側に設けられ、上記ねじを取り付ける取り付け部が上記天面又は底面の前面に沿って複数配列された取り付け板を備え、
該取り付け板の上記取り付け部近傍には上記プリント基板を識別する識別情報が付されており、該識別情報が付された位置に対応する上記フロントパネル端部の領域は切り欠かれて上記識別情報が視認可能に構成されていることを特徴とする基板ユニット用サブラック。
【請求項３】
取り付け板は、ねじを螺着する固定板と、該固定板の前面側に設けられ、上記ねじの挿入をガイドする案内板とからなり、識別情報は、上記案内板に付されていることを特徴とする請求項１又は２記載の基板ユニット用サブラック。
【請求項４】
複数枚のプリント基板が前面開口側から挿入され、該プリント基板を配列収納するサブラック本体、
上記プリント基板が取り付けられ、上記サブラック本体の前面開口部に端部が取り付けられるフロントパネル、
このフロントパネル端部に設けられ、該フロントパネルを上記サブラック本体に取り付ける取付部材が貫通する貫通孔、
上記サブラック本体前面開口部の天面側又は底面側に設けられ、上記取付部材の取り付け部が上記天面又は底面の前面に沿って複数配列された取り付け板を備え、
該取り付け板の上記取り付け部近傍には上記プリント基板を識別する識別情報が付されており、該識別情報が付された位置に対応する上記フロントパネル端部の領域は切り欠かれて上記識別情報が視認可能に構成されていることを特徴とする基板ユニット用サブラック。
【請求項５】
複数枚のプリント基板が前面開口側から挿入され、該プリント基板を配列収納するサブラック本体、
上記プリント基板が取り付けられ、上記サブラック本体の前面開口部に端部が取り付けられるフロントパネル、
このフロントパネル端部に設けられ、該フロントパネルを上記サブラック本体に取り付ける取付部材、
上記サブラック本体前面開口部の天面側又は底面側に設けられ、上記取付部材の取り付け部が上記天面又は底面の前面に沿って複数配列された取り付け板を備え、
該取り付け板の上記取り付け部近傍には上記プリント基板を識別する識別情報が付されており、該識別情報が付された位置に対応する上記フロントパネル端部の領域は切り欠かれて上記識別情報が視認可能に構成されていることを特徴とする基板ユニット用サブラック。
【請求項６】
フロントパネル端部の領域は端部角部を切り欠いた領域であることを特徴とする請求項１〜５のいずれか一項記載の基板ユニット用サブラック。
【請求項７】
フロントパネル端部は端部を切り欠いて形成した孔であることを特徴とする請求項１〜５のいずれか一項記載の基板ユニット用サブラック。
【発明の詳細な説明】
【技術分野】
【０００１】
この発明は、プリント基板を配列収納するサブラックに関するものであって、特に挿脱するプリント基板の識別を容易にするものに関する。
【背景技術】
【０００２】
多数のプリント基板を配列収容することが要求されるサブラック本体は、サブラック本体を構成する底板部に設けられた複数のレールに沿って、各プリント基板が平行に収納されるように構成される。
【０００３】
また、サブラック本体に所定の位置に収納された各プリント基板は、故障などの事情によりサブラック本体から取り外す必要が生じる。この場合、多数のプリント基板が配列されているため、作業者は、誤って取り外すべきプリント基板と異なったプリント基板を取り外してしまったり、所定の収納位置と異なるレールに収納してしまうなど、作業が煩雑になる。従って、サブラック本体に挿脱するプリント基板の識別を容易にできるようにすることは重要である。
【０００４】
なお、従来、関連技術として、特許文献１に記載されたものがあった。特許文献１に記載された誤挿入防止機構は、プリント基板をレールに沿って配列収納できる筐体に関する。この筐体は収納領域を上下に仕切る棚の表面に飾り板が取り付けられており、その飾り板には切り欠きが設けられている。そして、この切り欠きと対になるように、各レールに沿って収納される各プリント基板の縁に取り付けられたフロントパネルには爪が設けられている。
【０００５】
従って、プリント基板を異なるレールに収納しようとすると、飾り板にフロントパネルの爪が当接するため、それ以上フロントパネル及びプリント基板が筐体内に挿入されることがなく、誤挿入が防止できる。
【０００６】
しかし、特許文献１に記載された発明は、一旦挿入してみないと誤挿入であるか否かを判別できない。さらに、依然として、プリント基板を筐体から取り外す場合には、取り外すプリント基板を識別することができないため、異なったプリント基板を取り外してしまう恐れがある。
【０００７】
【特許文献１】特開平５−２５９６６３号公報
【発明の開示】
【発明が解決しようとする課題】
【０００８】
そこで、サブラック本体に誤ってプリント基板を挿脱しないようにする手段として、フロントパネルの上部にプリント基板を識別する識別情報を付した識別板をサブラック本体に取り付けることが考えられるが、フロントパネルに付設して識別板を取り付ける分サブラック本体の高さ寸法が大きくなってしまう。
また、ＩＥＣ６０２９７規格、ＩＥＣ６０９１７規格又はＩＥＥＥ１１０１規格に準拠した基板ユニット用サブラックは、サブラック本体の高さ寸法が規定されており、フロントパネル高さ寸法がサブラック本体の高さと略同一寸法であることから上記のような識別板を取り付けることができない。即ち、ＩＥＣ６０９１７規格ではサブラック本体の高さ寸法が１３２．６ｍｍであり、上下に１．５ｍｍをあけてフロントパネルが取りつけられる。したがって、１．５ｍｍの領域に識別板を取り付けることが理論上可能であるが、現実に識別板を取り付けることは不可能である。
【０００９】
この発明は、上記のような従来の問題点に鑑みてなされたものであり、サブラックの高さ寸法を大きくすることなく、挿脱するプリント基板の収納箇所を識別可能にすることを目的にする。
【課題を解決するための手段】
【００１０】
この発明は、複数枚のプリント基板が前面開口側から挿入され、該プリント基板を配列収納するサブラック本体、上記プリント基板が取り付けられ、上記サブラック本体の前面開口部に端部がねじ止めされるフロントパネル、このフロントパネル端部に設けられ、上記ねじ止め用のねじが貫通するねじ孔、上記サブラック本体前面開口部の天面側又は底面側に設けられ、上記ねじを取り付ける取り付け部が上記天面又は底面の前面に沿って複数配列された取り付け板を備え、該取り付け板の取り付け部近傍には上記プリント基板を識別する識別情報が付されており、該識別情報が付された位置に対応する上記フロントパネル端部の領域は切り欠かれて上記識別情報が視認可能に構成したものである。
【発明の効果】
【００１１】
この発明によれば、フロントパネルを取り付ける取り付け板にプリント基板を識別する識別情報が付し、かつ、該識別情報が視認可能になるようにフロントパネル端部の領域を切り欠くように構成したので、サブラック本体の高さ寸法を大きくしないで、挿脱するプリント基板の収納箇所を容易に認識することができ、作業性が向上する効果がある。
【発明を実施するための最良の形態】
【００１２】
実施の形態１．
実施の形態１に係るサブラックの構成を図１〜９に基づいて説明する。なお、図１はサブラックを収容するラックを示す構成図、図２はサブラック本体を示す斜視図、図３はサブラック本体に収容される基板ユニットを示す斜視図、図４は基板ユニットをサブラック本体にねじ止めした状態を示す構成図、図５は挿抜レバーで基板ユニットをサブラック本体に固定した状態を示す構成図、図６及び図７はサブラック本体に取りつけられるフロントレールの構成を示す分解斜視図、図８はサブラック本体にプリント基板を収容した状態を示す斜視図、図９はサブラック本体にプリント基板を収容した状態で要部を拡大して示す斜視図である。
【００１３】
図１において、同一のサブラック１が複数積み重ねられてラック２に収容されている。また、ラック２の内壁の高さはＩＥＣ６０２９７規格に準拠した寸法のサブラック１を積層するのに最適となるように設計されており、ラック２の内壁の高さ寸法は１Ｕ（１Ｕ＝１９ｉｎｃｈ）の整数倍に形成されている。
【００１４】
図２は、サブラック本体１０を示す斜視図であり、サブラック１を構成するサブラック本体１０は、底面板１１及び天面板１２が、２つの側面板１３、１４及び背面板１５とねじ止めされて、前面に開口が形成された筐体を構成している。また、サブラック本体１０の内部には仕切り板１６が設けられており、この仕切り板１６には後述する基板ユニット２０に取り付けられたコネクタ２５と接続される複数のアダプタ１７が並設されている。また、底面板１１には上記アダプタ１７の取り付け位置に対応して複数のレール１８が並設されている。このレール１８は後述するプリント基板２２がサブラック本体１０に収納されるときのガイドレールとして機能する。
【００１５】
図３はサブラック本体１０内に収納される基板ユニットの斜視図であり、基板ユニット２０は、金属からなるフロントパネル２１の裏面に、電子部品２６を実装したプリント基板２２が立設されている。また、フロントパネル２１の表面上部側にはねじ用孔２３が形成され、表面下部側には、プリント基板２２を、サブラック本体１０に挿入すると共にサブラック本体１０から抜き出すのに用いられる挿抜レバー２４が設けられている。また、プリント基板２２の挿入方向端部には外部のアダプタと電気的に接続されるコネクタ２５が取り付けられている。また、フロントパネル２１は上側端部の角部に切り欠き２７が形成されている。
【００１６】
図４、図６、図７において、サブラック本体１０を構成する天面板１２には、前面開口部に金属からなるフロントレール３０が取り付けられている。また、フロントレール３０には二つの溝３１、３３が天面板１２の前面に沿って平行に形成されており、奥側の溝３１に、雌ねじが切られたねじ孔３８が配列された固定板３２が挿入され、前面側の溝３３に、上記ねじ孔３８に螺着されるねじ３５の挿入をガイドするガイド用孔３６を配列した案内板３４が挿入される。なお、案内板３４には、各ガイド用孔３６の近傍に収納されるプリント基板２２を識別する識別情報としての各々異なる数字３７が刻印により付されている。また、案内板３４はフロントレール３０に樹脂で接着固定せずに、フロントレール３０から取り外し可能に構成されている。
【００１７】
次に、図２、図４、図５、図８に基づき、サブラック本体１０に基板ユニット２０を取り付ける方法について説明する。
【００１８】
サブラック本体１０に設けられた複数のレール１８から、作業者が識別情報３７を参照して所望のレール１８を選択し、そのレール１８に沿ってプリント基板２２をサブラック本体１０に挿入する。挿入にともない、プリント基板２２のコネクタ２５は、仕切り板１６に設けられたアダプタ１７に当接する。この当接された状態で、作業者が図５に示す挿抜レバー２４に設けられた突設部２８を底面板１１に設けられた孔１９に挿入し、同図矢印Ａ方向に回転させることにより、サブラック本体１０内部へ挿入する方向に力を与える。その結果、アダプタ１７に当接しているコネクタ２５は、アダプタ１７に力強く挿入されて、プリント基板２２とアダプタ１７とが電気的に接続される。その後、ねじ３５をフロントパネル２１のねじ用孔２３、案内板３４のガイド用孔３６を通して固定板３２のねじ孔３８に螺着することによって、基板ユニット２０とサブラック本体１０との固定状態をさらに確実にする。
【００１９】
なお、基板ユニット２０がサブラック本体１０に配列収納されると、図９に示すように案内板３４に付された数字３７が、フロントパネル２１に形成した切り欠き２７に対応した位置に配置されるように構成されている。そのため、サブラック本体１０から基板ユニット２０を引き抜く場合も各プリント基板を識別する情報が視認できるようになる。
【００２０】
また、フロントパネル２１の周囲にはガスケット２９が設けられているため、全ての基板ユニット２０がサブラック本体１０に収容されると、各フロントパネル２１が密着し、プリント基板２２及び電子部品２６から放出される電磁波をシールドすることができる。また、フロントパネル２１に形成された切り欠き２７に対応する位置には金属からなるフロントレール３０が配置されているため、各プリント基板２２から放射される電磁波をシールドする性能を保つことができる。
【００２１】
以上、実施の形態１に係る基板ユニット用サブラックによれば、高さ寸法を増加させることなく、作業者が、挿脱対象とする基板ユニットの収納箇所を容易に認識することができ、作業性が向上する効果がある。
【００２２】
また、実施の形態１に係る基板ユニット用サブラックによれば、ＩＥＣ６０２９７規格に準拠しているので、内壁が１Ｕの整数倍の大きさに形成されたＩＥＣ６０２９７規格に準拠したラックに効率良く基板ユニット用サブラックを積載することができる。
【００２３】
さらに、切り欠き２７が、金属からなるフロントレール３０に対応する位置に設けられているので、フロントパネル２１に切り欠き２７を設けているにもかかわらず、シールド性能が低下しないように構成されている。
【００２４】
さらに、案内板３４は、サブラック本体１０から取り外し可能に構成されているので、案内板３４を、他の識別情報を示す文字が記載された案内板に取りかえることができるようになる。
【００２５】
以上、実施の形態１に係る基板ユニット用サブラックは、フロントパネルとサブラックとをねじによって固定するものであったが、その他、フロントパネルとサブラックとを貫通して固定するものであればどのような接合部材であっても良い。なお、シュロフ株式会社（Ｓｃｈｒｏｆｆ）から販売されているクイックファスナ（品番：２１１００−８０４）を用いてサブラック本体１０にフロントパネル２１を取りつけることにしても良い。
【００２６】
また、実施の形態１に係る基板ユニット用サブラックは案内板３４に基板を識別する情報を記載するものであったが、基板を識別する情報は、サブラック本体１０の天面側又は底面側に沿って取りつけられた板であればどのような板であっても良い。なお、シュロフ株式会社（Ｓｃｈｒｏｆｆ）から販売されている挿抜レバー（品番：２０８１７−６２０）を用いた場合に、フロントパネルから突出する位置決め用ピンをサブラック本体１０に形成された位置決め用孔に収容するとき、その位置決め用孔が並列された位置決め用板に基板識別情報を記載することにしても良い。
【００２７】
また、実施の形態１に係る基板ユニット用サブラックは、基板を識別する情報が、配列されている基板毎に異なる数字を記載したものであったが、基板を識別できる内容であればどのような識別情報であっても良い。
【００２８】
また、実施の形態１に係る基板ユニット用サブラックは、案内板３４に基板を識別する情報が刻印されたものであったが、案内板３４に基板を識別する情報が記載されたシールを付着させるものであっても良い。
【００２９】
また、実施の形態１に係る基板ユニット用サブラックは、フロントレール３０が金属からなるものであったが、フロントレール３０が樹脂からなる本体の表面に金属塗料を塗布するものであっても良い。
【００３０】
また、実施の形態１に係る基板ユニット用サブラックは、ＩＥＣ６０２９７規格に準拠したものであったが、ＩＥＣ６０９１７規格を始め、ＩＥＥＥ１１０１規格等、サブラック外形寸法とサブラック正面に取りつけられるフロントパネルとが略同一寸法に形成される規格であれば、同様の効果を得ることができる。
【図面の簡単な説明】
【００３１】
【図１】この発明の実施の形態１に係るラックを示す構成図である、
【図２】この発明の実施の形態１に係るサブラック本体を示す構成図である。
【図３】この発明の実施の形態１に係るサブラック本体に収容される基板ユニットを示す構成図である、
【図４】この発明の実施の形態１に係るサブラック本体にフロントパネルがねじ止めされた状態を示す分解側面図である。
【図５】この発明の実施の形態１に係るサブラック本体にフロントパネルがインジェクタで固定された状態を示す分解斜視図である。
【図６】この発明の実施の形態１に係るサブラック本体に取りつけられるフロントレールの構成を示す分解斜視図である。
【図７】この発明の実施の形態１に係るサブラック本体にプリント基板を収容した状態を示す分解斜視図である。
【図８】この発明の実施の形態１に係るサブラック本体にプリント基板を収容した状態を示す斜視図である。
【図９】この発明の実施の形態１に係るサブラック本体にプリント基板を収容した状態の要部を示す斜視図である。
【符号の説明】
【００３２】
１０：サブラック本体、                      ２１：フロントパネル、
２２：プリント基板、                        ２３：ねじ用孔、
２７：切り欠き、                      ３２、３４：取り付け板、
３２：固定板、                              ３４：案内板、
３６、３８：取り付け部、                          ３７：識別情報。
【図１】
2005217124.tif 000003
【図２】
2005217124.tif 000004
【図３】
2005217124.tif 000005
【図４】
2005217124.tif 000006
【図５】
2005217124.tif 000007
【図６】
2005217124.tif 000008
【図７】
2005217124.tif 000009
【図８】
2005217124.tif 000010
【図９】
2005217124.tif 000011